(57)【要約】  本発明は固定子と回転子を有する非同期回転電機に関する。固定子が、部分的に固定子スロット内に配置された多数の歯コイルにより形成されている固定子巻線装置を含む。回転子が、回転子スロット（７）内に配置されかつ短絡されている多数の電気的導体により構成された回転子巻線装置を含む。回転子が、１１、１３、１７又は２７なる回転子スロット（７）数を有する。それによって高調波に起因する損失およびトルク脈動が低減される。
2008536466.tif 000002
【特許請求の範囲】
【請求項１】
固定子（２）および回転子（３）を有する非同期回転電機において、
ａ）固定子（２）が、部分的に固定子スロット（６）内に配置された多数の歯コイル（５）により形成されている固定子巻線装置（４）を含み、
ｂ）回転子（３）が、回転子スロット（７）内に配置されかつ短絡されている多数の電気的導体（８）により構成されている回転子巻線装置（１１）を含み、そして
ｃ）回転子（３）が、１１、１３、１７又は２７なる回転子スロット（７）数を有する
ことを特徴とする非同期回転電機。
【請求項２】
固定子巻線装置（４）が３で割ることのできる固定子スロット（６）数を有することを特徴とする請求項１記載の非同期回転電機。
【請求項３】
固定子巻線装置（４）が０．５なる穴数を有することを特徴とする請求項１記載の非同期回転電機。
【請求項４】
回転子スロット（７）が少なくとも３ｍｍのブリッジ高さ（１８）を有することを特徴とする請求項１記載の非同期回転電機。
【請求項５】
回転子スロット（７）が傾斜を有することを特徴とする請求項１記載の非同期回転電機。
【発明の詳細な説明】
【技術分野】
【０００１】
本発明は、固定子および回転子を備え、歯コイルを含む固定子巻線装置が設けられた非同期回転電機に関する。
【０００２】
独国特許出願公開第１０３２５９８２号明細書は、歯コイルの使用の下に実現された固定子巻線装置を開示している。これは、特に非同期回転電機の用途に定められている。
【０００３】
歯コイルに基づく固定子巻線装置は、電気的な固定子空隙磁界内に比較的高い高調波成分を生ずる。該高調波は、非同期回転電機において回転子空隙磁界と共に相互に作用し、不所望の副次的作用をもたらす。特に、大きな磁束漏れ、高い損失又は非同期回転電機により発生されるトルク脈動をもたらす。この脈動は振動トルクによりひき起こされる。
【０００４】
それ故本発明の課題は、歯コイルを基礎とする固定子巻線装置の使用にも係らず上述の副次的作用を少なくとも低減した、冒頭に述べた非同期回転電機を提供することにある。
【０００５】
この課題は、請求項１の特徴によって解決される。本発明の非同期回転電機は、
ａ）固定子が、部分的に固定子スロットに配置された多数の歯コイルにより形成された固定子巻線装置を含み、
ｂ）回転子が、回転子スロット内に配置されかつ短絡された多数の電気的導体により構成された回転子巻線装置を含み、そして
ｃ）回転子が、１１、１３、１７又は２７の回転子スロット数を有する。
【０００６】
前述の副次的作用のため、非同期回転電機では、固定子巻線装置の構成のために従来歯コイルは殆ど使用されなかった。本発明に従って設計した回転子におけるスロット数の適切な選択、従って特に回転子の周囲にわたり分布して配置した電気的導体の個数の適切な選択によって初めて、回転子巻線装置における製造視点の下に非常に有利な歯コイルの使用が可能となった。１１、１３、１７又は２７個の回転子スロットの使用時には、不所望の副次的作用が発生したとしても、非常に僅かである。更に、歯コイルにより電気的導体の材料の高いスペースファクタ、従って非同期回転電機の高い利用率を達成できる。
【０００７】
電気的導体は銅又はアルミニウムからなる棒として形成するとよい。これら材料は優れた導電性を有するので、回転子巻線装置における抵抗損失を僅かに留められる。
【０００８】
電気的導体間の短絡を、特に回転子の軸方向の両端面に配置した、相応の形状の短絡環で行う故、短絡回転子又はかご型回転子とも呼ばれる回転子構造が生ずる。
【０００９】
本発明による非同期回転電機の有利な構成を、請求項１に従属する請求項に示す。
【００１０】
固定子巻線装置が、３で割ることのできる固定子スロット数を有する実施形態が好ましい。更に固定子巻線装置が０．５なる毎極毎相スロット数を有するとよい。それにより、特に固定子空隙磁界における分数調波成分の形成を大幅に回避できる。
【００１１】
他の変形例では、回転子スロットが少なくとも３ｍｍのブリッジ高さを持つ。こうすると、回転子空隙磁界の高調波と固定子空隙磁界の高調波スペクトルとの相互作用を大幅に低減できる。
【００１２】
この利点は、回転子スロットが傾斜した他の有利な実施形態によっても提供される。
【００１３】
以下、図示の実施例の説明から本発明の他の特徴、利点および詳細を明らかにする。
【００１４】
図１〜８において、互いに対応する部分には同一の参照符号を付している。
【００１５】
図１は、固定子２と回転子３を有する非同期回転電機１の実施例を縦断面図で示す。図２は固定子２の横断面を示す。固定子２は、図１に巻線端のみを示す固定子巻線装置４を有し、固定子巻線装置４は予め製作した歯コイル５にて実現している。歯コイルの個々の導体巻線は、大部分が固定子成層鉄心の固定子スロット６内を走っている。
【００１６】
固定子巻線装置４は本実施例では８極であり、極対数ｐは４である。更に相数ｍ＝３において固定子スロット数Ｎ１＝１２を有している。従って、固定子巻線装置４は、毎極毎相スロット数ｑ＝Ｎ１／（２ｐ×ｍ）＝１／２を有する分数スロット巻線である。
【００１７】
回転子３は、回転子３の周囲に一様に分布し、ほぼ軸方向に走る回転子スロット７を有する回転子成層鉄心からなり、回転子スロット中に電気伝導性の銅棒が挿入されている。銅棒８は、回転子３の軸方向の両端面において、短絡環９又は１０により互いに導電接続されている。回転子は、所謂かご型回転子である。銅棒８および両短絡環９、１０は回転子巻線装置１１を成す。
【００１８】
図３〜８は、回転子成層鉄心に用いる回転子打抜き鋼板１２〜１７の実施例を示す。これら実施例は、先ず第１に、各々設けられた回転子スロット７の個数Ｎ２で相違し、従って回転子巻線装置１１内に設けられた銅棒８の個数Ｎ２でも相違する。各々の回転子スロット数Ｎ２は、図３の回転子打抜き鋼板１２では値１１、図４の回転子打抜き鋼板１３では値１３、図５又は図６の回転子打抜き鋼板１４および１５では値１７、そして図７又は図８による回転子打抜き鋼板１６および１７では値２７を取る。
【００１９】
回転子打抜き鋼板１５〜１７は、他の３つの回転子打抜き鋼板１２〜１４と違い、各々零とは異なるブリッジ高さ１８を有する。回転子打抜き鋼板１５および１６の場合にはブリッジ高さ１８が各々３ｍｍであり、これに対し回転子打抜き鋼板１７の場合にはブリッジ高さ１８が５ｍｍである。
【００２０】
固定子巻線装置４で使用される歯コイル５に基づき、固定子２と回転子３との間の空隙１９に形成される固定子空隙磁界は、分布したコイル巻線により実現している従来の固定子巻線装置におけるよりも高い高調波成分を有する。さもなければ形成される不所望の振動トルクを低減し又は完全に遮断すべく、回転子３は、僅かの磁束漏れにおいて回転子空隙磁界と固定子空隙磁界の高調波との間でできるだけ僅かの相互作用が生じるように構成されている。
【００２１】
これは、回転子３に設けた回転子スロット７の個数Ｎ２に関する前述の適切な選択により達成される。これに関して特に効果的なのは、固定子巻線装置４の上述の設計（即ちｑ＝１／２、Ｎ１＝１２およびｍ＝３）において、１１又は１７なる回転子スロット数を有する回転子打抜き鋼板１２、１４および１５である。高調波に起因する損失が減少し、トルク脈動が非常に僅かとなる。
【００２２】
回転子打抜き鋼板１５〜１７に付加的に設けた零と異なるブリッジ高さ１８が、高周波の不所望の影響を更に最小限に抑える。同じことが回転子３の回転軸に対し傾斜した回転子スロット７の配置に当てはまり、従って銅棒８にも当てはまる。
【００２３】
全体として、歯コイル５の使用に関連して、非常に少ない１２個だけの固定子スロット数Ｎ１にも係らず、非同期回転電機の非常に良好な全体特性が得られる。更に、低い固定子スロット数Ｎ１が簡単な製造を可能にし、結果として製造コストの低減を図れる。
【図面の簡単な説明】
【００２４】
【図１】固定子における歯コイルと特別な回転子スロット数を有する非同期回転電機の実施例を示す縦断面図
【図２】図１の非同期回転電機の固定子の横断面図
【図３】図１の非同期回転電機の回転子に使用される回転子打抜き鋼板の第１の例を示す平面図
【図４】図１の非同期回転電機の回転子に使用される回転子打抜き鋼板の第２の例を示す平面図
【図５】図１の非同期回転電機の回転子に使用される回転子打抜き鋼板の第３の例を示す平面図
【図６】図１の非同期回転電機の回転子に使用される回転子打抜き鋼板の第４の例を示す平面図
【図７】図１の非同期回転電機の回転子に使用される回転子打抜き鋼板の第５の例を示す平面図
【図８】図１の非同期回転電機の回転子に使用される回転子打抜き鋼板の第６の例を示す平面図
【符号の説明】
【００２５】
１  非同期回転電機、２  固定子、３  回転子、４  固定子巻線装置、５  歯コイル、６  固定子スロット、７  回転子スロット、８  銅棒、９  短絡環、１０  短絡環、１１  回転子巻線装置、１２〜１７  回転子打抜き鋼板、１８  ブリッジ高さ、１９  空隙
【図１】
2008536466.tif 000003
【図２】
2008536466.tif 000004
【図３】
2008536466.tif 000005
【図４】
2008536466.tif 000006
【図５】
2008536466.tif 000007
【図６】
2008536466.tif 000008
【図７】
2008536466.tif 000009
【図８】
2008536466.tif 000010
【国際調査報告】
2008536466.tif 000011
2008536466.tif 000012
2008536466.tif 000013
2008536466.tif 000014
2008536466.tif 000015
2008536466.tif 000016